【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  機器本体と、前記機器本体を操作するための第１のＧＵＩ（Graphical User Interface）と第１の表示内容情報を表示する第１の表示手段を有する外部端末と、前記機器本体に含まれ、前記機器本体の操作を制御する本体制御部と、前記機器本体に含まれ前記外部端末からネットワーク経由で前記機器本体の操作を制御するリモート制御部と、前記機器本体を操作するための第２のＧＵＩと第２の表示内容情報を表示する第２の表示手段と、前記本体制御部および／または前記リモート制御部の情報に基づいて、前記機器本体を制御する機器コントロール部と、により構成される機器操作システムであって、
前記本体制御部は前記第２のＧＵＩと前記第２の表示内容情報を生成し、
前記リモート制御部は、前記外部端末より前記ネットワーク経由で入力される前記第１の表示手段の表示能力に基づいて、前記第２のＧＵＩと前記第２の表示内容情報から前記第１のＧＵＩと前記第１の表示内容情報を作成し、
前記機器コントロール部は、前記第１のＧＵＩと前記第１の表示内容情報による前記機器本体の操作と前記第２のＧＵＩと前記第２の表示内容情報による前記機器本体の操作とが同じ機能を提供するように前記本体制御部及び前記リモート制御部を制御することを特徴とする機器操作システム。
【請求項２】  前記同じ機能とは、前記機器本体が、前記本体制御部と前記リモート制御部が同一のデータベースから、現在の動作状態から次の動作状態へ遷移するために用いる遷移情報を取得し、前記遷移情報からそれぞれ同一の遷移情報を選択した後の状態において、前記本体制御部が決定する遷移先の動作状態と、前記リモート制御部が決定する遷移先の動作の状態が対応付けられたものであることを特徴とする請求項１に記載の機器操作システム。
【請求項３】  前記同じ機能とは、第２の表示手段に表示した前記第２のＧＵＩと前記第２の表示内容情報においてユーザに提示した選択肢と、第１の表示手段に表示した前記第１のＧＵＩと前記第１の表示内容情報においてユーザに提示した選択肢とが、対応付けられており、かつ、前記機器本体において前記選択肢が選択された時の前記機器コントロール部の動作と、前記外部端末において前記選択肢が選択された時の前記機器コントロール部の動作とが、同じであることを特徴とする請求項１に記載の機器操作システム。
【手続補正２】
【補正対象書類名】明細書
【補正対象項目名】０００６
【補正方法】変更
【補正の内容】
【０００６】
【課題を解決するための手段】
上述した課題を解決するために、請求項１の本発明は、機器本体と、前記機器本体を操作するための第１のＧＵＩ（GraphicalUser Interface）と第１の表示内容情報を表示する第１の表示手段を有する外部端末と、前記機器本体に含まれ、前記機器本体の操作を制御する本体制御部と、前記機器本体に含まれ前記外部端末からネットワーク経由で前記機器本体の操作を制御するリモート制御部と、前記機器本体を操作するための第２のＧＵＩと第２の表示内容情報を表示する第２の表示手段と、前記本体制御部および／または前記リモート制御部の情報に基づいて、前記機器本体を制御する機器コントロール部と、により構成される機器操作システムであって、前記本体制御部は前記第２のＧＵＩと前記第２の表示内容情報を生成し、前記リモート制御部は、前記外部端末より前記ネットワーク経由で入力される前記第１の表示手段の表示能力に基づいて、前記第２のＧＵＩと前記第２の表示内容情報から前記第１のＧＵＩと前記第１の表示内容情報を作成し、
前記機器コントロール部は、前記第１のＧＵＩと前記第１の表示内容情報による前記機器本体の操作と前記第２のＧＵＩと前記第２の表示内容情報による前記機器本体の操作とが同じ機能を提供するように前記本体制御部及び前記リモート制御部を制御することを特徴とする機器操作システムである。
【手続補正３】
【補正対象書類名】明細書
【補正対象項目名】０００７
【補正方法】変更
【補正の内容】
【０００７】
請求項２の本発明は、請求項１記載の機器操作システムにおいて、同じ機能とは、前記機器本体が本体制御部と前記リモート制御部が同一のデータベースから、現在の動作状態から次の動作状態へ遷移するために用いる遷移情報を取得し、遷移情報からそれぞれ同一の遷移情報を選択した後の状態において、前記本体制御部が決定する遷移先の動作状態と、前記リモート制御部が決定する遷移先の動作の状態が対応付けられたものであることを特徴とする機器操作システムである。
【手続補正４】
【補正対象書類名】明細書
【補正対象項目名】０００８
【補正方法】変更
【補正の内容】
【０００８】
請求項３記載の本発明は、第２の表示手段に表示した前記第２のＧＵＩと前記第２の表示内容情報においてユーザに提示した選択肢と、第１の表示手段に表示した前記第１のＧＵＩと前記第１の表示内容情報においてユーザに提示した選択肢とが選択された時の前記機器コントロール部の動作と、前記外部端末において前記選択肢が選択された時の機器コントロール部の動作とが、同じであることを特徴とする機器操作システムである。
【手続補正５】
【補正対象書類名】明細書
【補正対象項目名】００２４
【補正方法】変更
【補正の内容】
【００２４】
ここで、先程機器本体操作で述べたように、機器本体との表現能力の違いにより、携帯端末２０６では、機器本体と同じ情報を表示することが出来ず、おのずと表示できるデータ量が制限される。そこで、携帯端末２０６では、表示する種類を減らすことによって、機器本体と外部端末で見比べた時にその表示が同じ状態だと言える最低限の表示を行うことにする。本実施の形態では、そのリストを構成するデータの種類を１つに絞り、１次元の表にして並べることにした。現在の状態は「アルバムリスト選択中」であり、最低限必要な要素は、アルバムを表すデータのリストである。そこで、本実施の形態では、機器本体で表示したアルバムを表すデータである「アルバムタイトル」、「撮影日時」、「撮影場所」の中で、「アルバムタイトル」だけを取得することとする。そのため、機器本体と外部端末で機器コントロール部の振る舞いが変わってくる。
【手続補正６】
【補正対象書類名】明細書
【補正対象項目名】００４０
【補正方法】変更
【補正の内容】
【００４０】
ここで、ユーザは「ドラマスペシャル」の予約を削除することを機器に知らせるために、削除ボタンの上で携帯電話の決定ボタンを押したとする。このとき、携帯電話２０６のＷｅｂブラウザからの図２１のようなリクエストがＷｅｂサーバ２１２に届く。Ｗｅｂサーバ２１２はこのリクエストを解析し、解析した情報から図２２のようなＡＰＩを用いてＣＧＩプログラム２１３を呼び出す。呼び出されたＣＧＩプログラム２１３は引数と、現在の状態「予約詳細表示中」という情報から、次に「予約削除完了」へ状態を変化させ、かつ、「ドラマスペシャル」の予約を削除する必要があることが分かるので、図２３のようなリモート動作処理プログラム２１４のＡＰＩを用いて、予約データベースから予約ＩＤが３のデータを削除する。ここで、機器コントロールでの予約削除の動作の内容は全く同じになり、その結果、機器コントロール部の動作は機器本体と外部端末で同じになる。また、機器本体操作で述べたように、実施の形態１のように、機器本体と外部端末の表示性能差を考慮する必要は無い。